【事件の表示】
　特願２００８−　２２４１５「カラーフィルタ」拒絶査定不服審判事件〔平成２１年　８月１３日出願公開、特開２００９−１８１０８９〕について、次のとおり審決する。
【結　論】
　本件審判の請求は、成り立たない。
【理　由】
第１　手続の経緯
　本願は、平成２０年２月１日の出願であって、平成２４年７月２７日及び同年１０月３０日付けで手続補正がなされ、平成２５年３月１５日付けで平成２４年１０月３０日付け手続補正が却下されるとともに、同日付けで拒絶査定がなされ、これに対して、平成２５年６月２０日付けで拒絶査定不服審判が請求されると同時に手続補正がなされたものである。
　なお、請求人は、当審における同年１０月４日付け審尋に対して同年１１月２７日付けで回答書を提出している。
　
第２　平成２５年６月２０日付け手続補正についての補正の却下の決定
〔補正の却下の決定の結論〕
　平成２５年６月２０日付け手続補正を却下する。
　
〔理由〕
１　本件補正の内容
　平成２５年６月２０日付け手続補正（以下「本件補正」という。）は、特許請求の範囲及び明細書についてするものである。
（１）明細書についての本件補正は、平成２４年７月２７日付け手続補正で補正された本件補正前（以下「本件補正前」という。）の段落【０００９】、【００１０】、【００１３】及び【００１４】に、
「【０００９】
　前述した目的を達成するために、第１の発明は、基板と、前記基板上に形成された透明電極層と、前記透明電極層上に形成されたブラックマトリクスと、着色層と、ギャップを一定に保
つス
する
「【００１０】
　第２の発明は、基板と、前記基板上に形成された透明電極層と、前記透明電極層上に形成された開口部を有するブラックマトリクスと、前記透明電極層上の前記開口部を覆うように平面上隣接して形成された着色層および上部に前記着色層が積層された透明層と、前記ブラックマトリクスの
上、前記着色層の上もしくは前記透明層の上、または前記ブラックマトリクス、前記着色層、前記透明層のいずれか２以上にまたがる箇所に
する
「【００１３】
　第３の発明は、基板上に、透明電極層を形成する工程（ａ）と、前記透明電極層上に、ブラックマトリクスを形成する工程（ｂ）と、着色層および透明層を形成する工程（ｃ）と
、ス
る
「【００１４】
　第４の発明は、基板上に、透明電極層を形成する工程（ａ）と、前記透明電極層上に、開口部を有するブラックマトリクスを形成する工程（ｂ）と、前記透明電極層上の前記開口部を覆うように、着色層および上部に前記着色層が積層された透明層を平面上隣接して形成する工程（ｃ）と、前記ブラックマトリクスの
上、前記着色層の上もしくは前記透明層の上、または前記ブラックマトリクス、前記着色層、前記透明層のいずれか２以上にまたがる箇所に
する
とあったものを、それぞれ、
　
「【０００９】
　前述した目的を達成するために、第１の発明は、基板と、前記基板上に形成された、透明電極層と、前記透明電極層上に形成された、ブラックマトリクスと、着色層と、ギャップを一定に保
つ前記ブラックマトリクス上のス
し、前記透明層は、複数の前記着色層に隣接し、前記スペーサーは前記透明層を含む
「【００１０】
　第２の発明は、基板と、前記基板上に形成された透明電極層と、前記透明電極層上に形成された開口部を有するブラックマトリクスと、前記透明電極層上の前記開口部を覆うように平面上隣接して形成された着色層および上部に前記着色層が積層された透明層と、前記ブラックマトリクスの
上に
し、前記透明層は、複数の前記着色層に隣接し、前記スペーサーは前記透明層を含む
「【００１３】
　第３の発明は、基板上に、透明電極層を形成する工程（ａ）と、前記透明電極層上に、ブラックマトリクスを形成する工程（ｂ）と、着色層および透明層を形成する工程（ｃ）と
、前記ブラックマトリクス上にス
、かつ、前記透明層は複数の前記着色層に隣接し、前記スペーサーは前記透明層を含む
「【００１４】
　第４の発明は、基板上に、透明電極層を形成する工程（ａ）と、前記透明電極層上に、開口部を有するブラックマトリクスを形成する工程（ｂ）と、前記透明電極層上の前記開口部を覆うように、着色層および上部に前記着色層が積層された透明層を平面上隣接して形成する工程（ｃ）と、前記ブラックマトリクスの
上に
し、前記透明層は、複数の前記着色層に隣接し、前記スペーサーは前記透明層を含む
　
（２）特許請求の範囲についての本件補正は、本件補正前に、
「【請求項１】
　基板と、
　前記基板上に形成された、透明電極層と、
　前記透明電極層上に形成された、ブラックマトリクスと、着色層と、ギャップを一定に保
つス
　前記透明電極層上の平面において前記ブラックマトリクスと前記着色層の間に配置され、かつ上部に前記着色層が積層された透明層と、
　を有
する
　　【請求項２】
　基板と、
　前記基板上に形成された透明電極層と、
　前記透明電極層上に形成された、開口部を有するブラックマトリクスと、
　前記透明電極層上の前記開口部を覆うように平面上隣接して形成された、着色層および上部に前記着色層が積層された透明層と、
　前記ブラックマトリクスの
上、前記着色層の上もしくは前記透明層の上、または前記ブラックマトリクス、前記着色層、前記透明層のいずれか２以上にまたがる箇所に
　を有
する
　　【請求項３】
　前記スペーサーの少なくとも一部が、着色層であることを特徴とする請求項１または２のいずれかに記載のカラーフィルタ。
　　【請求項４】
　前記透明電極層、前記ブラックマトリクス、前記着色層、前記透明層、前記スペーサーを覆う保護層を有することを特徴とする請求項１ないし３のいずれかに記載のカラーフィルタ。
　　【請求項５】
　基板上に、透明電極層を形成する工程（ａ）と、
　前記透明電極層上に、ブラックマトリクスを形成する工程（ｂ）と、
　着色層および透明層を形成する工程（ｃ）と
、
　
ス
を具備し、
　前記透明層は、前記透明電極層上の平面において前記ブラックマトリクスと前記着色層の間に配置され、かつ上部に前記着色層が積層されることを特徴とするカラーフィルタの製造方法。
　　【請求項６】
　基板上に、透明電極層を形成する工程（ａ）と、
　前記透明電極層上に、開口部を有するブラックマトリクスを形成する工程（ｂ）と、
　前記透明電極層上の前記開口部を覆うように、着色層および上部に前記着色層が積層された透明層を平面上隣接して形成する工程（ｃ）と、
　前記ブラックマトリクスの
上、前記着色層の上もしくは前記透明層の上、または前記ブラックマトリクス、前記着色層、前記透明層のいずれか２以上にまたがる箇所に
を具備
する
　　【請求項７】
　前記スペーサーの少なくとも一部が、着色層であり、
　着色層とスペーサーの少なくとも一部を同時に形成することを特徴とする請求項５または請求項６のいずれかに記載のカラーフィルタの製造方法。
　　【請求項８】
　前記工程（ｄ）の後に、
　前記透明電極層、前記ブラックマトリクス、前記着色層、前記透明層、前記スペーサー上に、保護層を形成する工程（ｅ）
　を具備することを特徴とする請求項５ないし請求項７のいずれかに記載のカラーフィルタの製造方法。」とあったものを、
　
「【請求項１】
　基板と、
　前記基板上に形成された、透明電極層と、
　前記透明電極層上に形成された、ブラックマトリクスと、着色層と、ギャップを一定に保
つ前記ブラックマトリクス上のス
　前記透明電極層上の平面において前記ブラックマトリクスと前記着色層の間に配置され、かつ上部に前記着色層が積層された透明層と、
　を有
し、
　
前記透明層は、複数の前記着色層に隣接し、
　
前記スペーサーは前記透明層を含む
　　【請求項２】
　基板と、
　前記基板上に形成された透明電極層と、
　前記透明電極層上に形成された、開口部を有するブラックマトリクスと、
　前記透明電極層上の前記開口部を覆うように平面上隣接して形成された、着色層および上部に前記着色層が積層された透明層と、
　前記ブラックマトリクスの
上に
　を有
し、
前記透明層は、複数の前記着色層に隣接し、
　
前記スペーサーは前記透明層を含む
　　【請求項３】
　前記スペーサーの少なくとも一部が、着色層であることを特徴とする請求項１または２のいずれかに記載のカラーフィルタ。
　　【請求項４】
　前記透明電極層、前記ブラックマトリクス、前記着色層、前記透明層、前記スペーサーを覆う保護層を有することを特徴とする請求項１ないし３のいずれかに記載のカラーフィルタ。
　　【請求項５】
　基板上に、透明電極層を形成する工程（ａ）と、
　前記透明電極層上に、ブラックマトリクスを形成する工程（ｂ）と、
　着色層および透明層を形成する工程（ｃ）と
、
　
前記ブラックマトリクス上にス
を具備し、
　前記透明層は、前記透明電極層上の平面において前記ブラックマトリクスと前記着色層の間に配置され、かつ上部に前記着色層が積層され
、
　
かつ、前記透明層は複数の前記着色層に隣接し、
　
前記スペーサーは前記透明層を含む
　　【請求項６】
　基板上に、透明電極層を形成する工程（ａ）と、
　前記透明電極層上に、開口部を有するブラックマトリクスを形成する工程（ｂ）と、
　前記透明電極層上の前記開口部を覆うように、着色層および上部に前記着色層が積層された透明層を平面上隣接して形成する工程（ｃ）と、
　前記ブラックマトリクスの
上に
を具備
し、
　
前記透明層は、複数の前記着色層に隣接し、
　
前記スペーサーは前記透明層を含む
　　【請求項７】
　前記スペーサーの少なくとも一部が、着色層であり、
　着色層とスペーサーの少なくとも一部を同時に形成することを特徴とする請求項５または請求項６のいずれかに記載のカラーフィルタの製造方法。
　　【請求項８】
　前記工程（ｄ）の後に、
　前記透明電極層、前記ブラックマトリクス、前記着色層、前記透明層、前記スペーサー上に、保護層を形成する工程（ｅ）
　を具備することを特徴とする請求項５ないし請求項７のいずれかに記載のカラーフィルタの製造方法。」とするものである。
　
（３）本件補正は、要するに、次のア及びイの補正からなるものである。
　ア　「スペーサー」を「ブラックマトリクス上」のものとするとともに「透明層を含む」ものとした補正
　イ　「透明層」を「複数の着色層に隣接」するものとした補正
　
２　請求人の主張する補正の根拠
　請求人は、審判請求書の請求の理由及び回答書において、以下のように補正の根拠を主張している。
（１）審判請求書の請求の理由における主張
「補正事項『前記ブラックマトリクス上のスペーサー（請求項１）』、『前記ブラックマトリクスの上に形成された、スペーサー（請求項２）』の補正の根拠は、明細書の段落［００３４］等である。　
　補正事項『前記透明層は、複数の前記着色層に隣接し、』の補正の根拠は、明細書の段落［００３５］等である。　
　補正事項『前記スペーサーは前記透明層を含む』の補正の根拠は、明細書の段落［００３２］等である。　
　なお、以上の補正事項は、補正前の請求項１あるいは請求項２の発明特定事項である『スペーサー』あるいは『透明層』を限定するものであって、いわゆる限定的減縮を目的としたものである。」（審判請求書３頁１９行ないし４頁２行）
　
（２）回答書における主張
「段落［００３５］、図６等には透明層１６と着色層の構成、透明層１６が複数の着色層に隣接すること、およびブラックマトリクス７上にスペーサー１５を設ける旨が実質的に記載されており、［００３２］にはこのスペーサー１５に透明層１６を用いることが記載されている。
　そして、上記各構成要件の組み合わせ及び配置は、具体的な開示が無くとも、当業者にとって自明の範囲というべきものである。前回提出した審判請求書の参考図に示したものは補正後の請求項１に関する一例（あくまで一例であり、その構成は勿論参考図に示したものに限らない）であるが、各構成要件の組み合わせ及び配置は特段の困難さも無く、これをどのようにするかは当業者にとって自明の範囲である。」（回答書５頁９行ないし１８行）
　
３　新規事項の追加
（１）上記１（３）ア及びイの補正に係る本件補正は、「ブラックマトリクス上のスペーサー」が「複数の着色層に隣接」する「透明層を含む」としたものである。
　しかしながら、「ブラックマトリクス上のスペーサーが複数の着色層に隣接する透明層を含む」との事項は、本願の願書に最初に添付された特許請求の範囲、明細書又は図面（以下「当初明細書」という。）に記載されていない。
　
（２）当初明細書には、次の記載がある。
　「【００３２】
　また、スペーサー１５をスペーサー用赤色層１２またはスペーサー用緑色層１４のみで形成してもよく、
スペーサー１５の形成にブラックマトリクス７や後述する透明層１６を含んでもよい
　【００３３】
　また、
図１に示すように、スペーサー１５は、ブラックマトリクス７と青色層９が積層した箇所に設けることが好ましいが、図３に示すカラーフィルタ１０１のように、スペーサー１５をブラックマトリクス７と積層しない青色層９の上に設けてもよい
　【００３４】
　また、
図４に示すカラーフィルタ１０３のように、スペーサー１５をブラックマトリクス７の上に形成してもよく
図５に示すカラーフィルタ１０５のように、スペーサー１５を青色層９とブラックマトリクス７にまたがる箇所に形成しても良い
　【００３５】
　また、図６に示すカラーフィルタ１０７のように、着色層に重ねて隣接して透明層１６を設けてもよい。透明層１６は、着色層を構成する感光性樹脂であって、顔料を含まず、無色透明なものを用いることができる。カラーフィルタ１０７では青色層９に隣接して、透明層１６が形成されているが、赤色層１１に隣接して透明層１６を設けてもよいし、緑色層１３に隣接して透明層１６を設けてもよい。
さらに、透明層１６をひとつだけではなく、複数の着色層に隣接させ、複数個所に設けてもよい
透明層１６の上にスペーサー１５を形成してもよい
　
（３）上記（２）の記載から、次のアないしエのことが把握できる。
　ア　【００３２】には、スペーサーが、透明層を含み得ることが記載されているが、具体的な配置場所と積層構造については記載がないこと。
　イ　着色層の端部がブラックマトリクスの端部の上に積層される構造を有している態様において、図１、図２のように、ブラックマトリクス７と青色層９とを積層した箇所の最上層である青色層９の上にスペーサー１５を設ける場合、及び、図３のように、青色層９がブラックマトリクス７と積層されていない箇所の最上層である青色層９の上にスペーサー１５が設けられる場合の双方について、【００３３】では、スペーサー１５が青色層９の「上に」設けられ、ブラックマトリクスの「上に」設けられたとはしていないこと。
　ウ　隣接した着色層９、１１、１３とブラックマトリクス７とが積層されていない態様において、図４のように、スペーサー１５をブラックマトリクス７上（着色層の無い位置）に直接形成した場合、【００３４】では、ブラックマトリクスの「上に」形成したとし、図５のように、隣接した青色層９とブラックマトリクス７の上にスペーサー１５を形成した場合、【００３４】では、青色層９とブラックマトリクス７とにまたがる箇所に形成したとしていること。
　エ　【００３５】には、透明層を複数の着色層に隣接させ得ることが記載されていること。
　
（４）上記（３）からみて、「スペーサーが透明層を含む」、「ブラックマトリクス上のスペーサー」あるいは「透明層が複数の着色層に隣接する」ことは、それぞれ単独では当初明細書の記載から把握できる事項であるが、当初明細書の記載において、「ブラックマトリクスの上」（ブラックマトリクス上であり、かつ、着色層のない位置と解される。）にスペーサーを形成した態様において、該スペーサーが透明層を含むことは記載も示唆もされていないだけでなく自明であるともいえない。
　してみると、「ブラックマトリクス上のスペーサーが複数の着色層に隣接する透明層を含む」との事項を追加する補正は、当初明細書のすべての記載を総合することにより導かれる技術的事項との関係において、新たな技術的事項を導入しないものでない。
　したがって、上記１（３）とする補正を含む本件補正は、当初明細書のすべての記載を総合することにより導かれる技術的事項との関係において、新たな技術的事項を導入しないものでないので、当初明細書に記載した事項の範囲内でなされたものではない。
　
（５）本件補正は、以上のとおり、当初明細書に記載した事項の範囲内でなされたものではないので、特許法第１７条の２第３項に規定する要件を満たしていない。
　
４　本件補正の目的
（１）本件補正後の請求項１に係る上記１の補正は、本件補正前の請求項１に係る発明を特定するために必要な事項である「スペーサー」を「ブラックマトリクス上」のものとするとともに「透明層を含む」ものと限定し、「透明層」を「複数の着色層に隣接」するものと限定するものである。
　
（２）そこで、本件補正後の請求項１に係る本件補正は、上記３のとおり、特許法第１７条の２第３項に規定する要件を満たしていないものであるが、上記（１）のとおり、本件補正前の請求項１に係る発明を特定するために必要な事項を限定するものでもあり、特許法第１７条の２第５項第２号に掲げる特許請求の範囲の減縮を目的とするものであるから、本件補正後の請求項１に係る発明（以下「本願補正発明」という。）が、特許出願の際独立して特許を受けることができるものであるか（特許法第１７条の２第６項において準用する同法第１２６条第７項の規定に適合するか）についても、一応以下検討する。
　
５　引用例
（１）原査定の拒絶の理由に引用された「本願の出願前に頒布された刊行物である特開２００７−１４７７６１号公報（以下「引用例１」という。）」には、次の事項が図とともに記載されている。
　
　ア　「【背景技術】
【０００２】
　従来より、図１のような
ＴＦＴ液晶表示装置用のカラーフィルタ
基板１００上に、直接もしくは反射板を介してブラックマトリクス１０３および透明着色層１０４Ｒ，１０４Ｇ，１０４Ｂとが形成され、必要に応じてブラックマトリクス１０３及び透明着色層１０４Ｒ，１０４Ｇ，１０４Ｂ上に透明なオーバーコート層１０５が形成され、
オーバーコート層１０５上に透明電極層１０２が形成され、
透明電極層１０２上に柱状スペーサ１０６が形成されている
【０００３】
　そして、近年のＴＦＴ型の液晶表示装置では、
液晶の高速駆動による表示性能の向上を図るため、
ＴＦＴ型液晶駆動基板とのギャップを可能な限り狭くする工夫が行われ
　
　・・・略・・・
　
【発明が解決しようとする課題】
【０００４】
　しかしながら、カラーフィルタと液晶駆動基板との
ギャップが狭くなった場合、
ＴＦＴ型液晶駆動基板との間に存在する導電性の異物により
ＴＦＴ型液晶駆動基板との間での短絡現象が起こり易くなる
このような短絡現象がおきると、該異物が存在する部分で正常な表示ができなる
このようなトラブルは、コモンショートと呼ばれる
【０００５】
　当該トラブルを防止すべく、製造現場における徹底的な異物除去対策が講じられているが、ギャップが小さくなるにつれて当該トラブルの抑制は一層困難となっており、根本的な解決が望まれている。本発明は上記課題に鑑みてなされたものであり、
コモンショートを十分に抑制できるカラーフィルタ
を提供することを目的とする
　
　イ　「【課題を解決するための手段】
【０００６】
　本発明に係る
カラーフィルタは、基板と、この基板上に設けられた透明電極層と、この透明電極層上に設けられたブラックマトリクス及び着色層と、を備え
【０００７】
　本発明によれば、ブラックマトリクス及び着色層の下に、透明電極層上が設けられている。したがって、このようなカラーフィルタと、
ＴＦＴ型液晶駆動基板とを、スペーサを挟んで積層した場合に、これらの間に導電性の異物があったとしても、ＴＦＴ型液晶駆動基板の画素電極と、カラーフィルタの透明電極層との短絡現象を抑制できる
【０００８】
　ここで、ブラックマトリクス及び着色層上にさらにオーバーコート層を備えることが好ましい。これによれば、表面を平坦化できて好ましく、また、このオーバーコート層により、導電性の異物によるＴＦＴ型液晶駆動基板の画素電極等と、カラーフィルタの透明電極層との短絡現象をより一層抑制することができる。
【０００９】
　透明電極層の材料としては、酸化インジウム錫、又は、酸化インジウム亜鉛であることが好ましい。
【００１０】
　また、ブラックマトリクスの材料は樹脂であることが好ましい。また、本カラーフィルタはＴＦＴ型液晶表示装置に適する。
【００１１】
　本発明に係る液晶表示装置は、上述の液晶用カラーフィルタと、ＴＦＴ型液晶駆動基板と、を備える液晶表示装置である。
【発明の効果】
【００１２】
　本発明によれば、コモンショートを十分に抑制できるカラーフィルタ及び液晶表示装置が提供される。」
　
　ウ　「【発明を実施するための最良の形態】
【００１３】
　本発明に係るカラーフィルタ及び液晶表示装置について説明する。
【００１４】
　本発明にかかるＴＦＴ液晶用のカラーフィルタは、図２に示すように、
透明または不透明な基板１００と、基板１００上に設けられた透明電極層１０２と、透明電極層１０２上に設けられたブラックマトリクス１０３及び透明着色層１０４Ｒ，１０４Ｇ，１０４Ｂと、ブラックマトリクス１０３及び透明着色層１０４Ｒ，１０４Ｇ，１０４Ｂ上に設けられたオーバーコート層１０５と、オーバーコート層１０５上に設けられたスペーサ１０６とを備え
【００１５】
　透明または不透明の基板１００の材料は、とくに限定されないが、石英ガラス、ホウケイ酸ガラス、アルミケイ酸塩ガラス、表面をシリカコートしたソーダライムガラス等の無機ガラス類、人工石英ガラス等のリジット材、あるいは樹脂フィルムまたはシート、光学用樹脂板等のフレキシブル材が好ましく、透明な石英ガラス、透明な樹脂フィルムがとくに好ましい。
【００１６】
　透明電極層１０２の材料としては、とくに制限はないが、酸化インジウム錫（ＩＴＯ）、酸化インジウム亜鉛（ＩＺＯ）、酸化亜鉛（ＺｎＯ）、酸化錫（ＳｎＯ）等、およびその合金等が好ましく、とくに好ましくは酸化インジウム錫（ＩＴＯ）、酸化インジウム亜鉛（ＩＺＯ）である。
【００１７】
　透明電極層１０２の厚みは特に限定されないが、例えば、１００〜３００ｎｍ（好ましくは１５０ｎｍ）とすることができる。
【００１８】
　透明電極層１０２の形成方法には、とくに制限はなく、例えば、スパッタリング法、真空蒸着法、ＣＶＤ法、塗布法等の一般的な成膜方法で形成することができる。
【００１９】
　
ブラックマトリクス１０３
は
格子（マトリクス）状、又は、縞（ストライプ）状に形成され
【００２０】
　ブラックマトリクス１０３の材料は、とくに制限されないが、遮光性粒子（例えば、カーボン微粒子や金属酸化物粒子等）を含む樹脂材料、例えば、熱硬化性樹脂材料（ポリイミド樹脂、アクリル樹脂、エポキシ樹脂等）や感光性樹脂材料が好ましい。樹脂であると、絶縁性が高いので後述する短絡抑制効果も高い。また、ブラックマトリクス１０３の材料として、酸化クロム及び／又は窒化クロム等のクロム化合物層と、クロム層と、の積層体を用いてもよい。このような積層体は、スパッタリング法、真空蒸着法等により容易に形成できる。
【００２１】
　ブラックマトリクス１０３は、例えば、透明電極層１０２上に、遮光性粒子を含む樹脂層、又は、クロム層及びクロム化合物層を積層した積層体を形成し、これをパターニングすることにより形成できる。
【００２２】
　ブラックマトリクスの厚みは特に限定されないが、樹脂製のブラックマトリクス１０３の場合には、その厚みを例えば１．０〜２．０μｍ（好ましくは１．２μｍ）とすることができ、クロム及びクロム化合物の層を積層したブラックマトリクス１０３の場合には、その厚みを例えば１００〜２００ｎｍとすることができる。
【００２３】
　
透明着色層１０４Ｒ，１０４Ｇ，１０４Ｂは、ブラックマトリクス１０３の開口内、例えば、格子内や縞の間に配置され
【００２４】
　透明着色層１０４Ｒ，１０４Ｇ，１０４Ｂの材料は、とくに制限されないが、赤色顔料、紫色顔料、青色顔料、黄色顔料、緑色顔料等が含まれていてもよい熱硬化性樹脂材料や感光性樹脂材料が好ましい。樹脂であると、絶縁性が高いので後述する短絡抑制効果も高い。
【００２５】
　透明着色層１０４Ｒ，１０４Ｇ，１０４Ｂに用いられる着色用の有機顔料としては、とくに限定されないが、カラーインデックス（Ｔｈｅ　Ｓｏｃｉｅｔｙ　ｏｆ　Ｄｙｅｒｓ　ａｎｄ　Ｃｏｌｏｕｒｉｓｔｓ社発行）においてピグメント（Ｐｉｇｍｅｎｔ）に分類されている化合物でよく、好ましくは、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１３８、Ｃ．Ｉ．ピグメントイエロー１５０、Ｃ．Ｉ．ピグメントイエロー１８０、Ｃ．Ｉ．ピグメントイエロー１８５等のイエロー系ピグメント、Ｃ．Ｉ．ピグメントレッド１、Ｃ．Ｉ．ピグメント２、Ｃ．Ｉ．ピグメントレッド３、Ｃ．Ｉ．ピグメントレッド２５４、Ｃ．Ｉ．ピグメントレッド１７７などのレッド系ピグメント、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６等のブルー系ピグメント、およびＣ．Ｉ．ピグメントバイオレット２３：１９、Ｃ．Ｉ．ピグメントグリーン３６等
およびカーボンブラックの黒色色材が例示される。
【００２６】
　透明着色層１０４Ｒ，１０４Ｇ，１０４Ｂの厚みは特に限定されないが、十分な短絡抑制効果をもたらすべく、１．０〜２．０μｍとすることが好ましい。
【００２７】
　なお、
ブラックマトリクス１０３は、互いに異なる色の透明着色層の端部同士を重ねることにより形成してもよい
【００２８】
　透明着色層１０４Ｒ，１０４Ｇ，１０４Ｂ及びブラックマトリクス１０３の具体的な製造方法は特に限定されず、例えば、レリーフ染色法、顔料分散法、電着法、印刷法、インクジェット法、電子写真法、銀塩法、等が適用できる。
【００２９】
　オーバーコート層１０５は、透明着色層１０４Ｒ，１０４Ｇ，１０４Ｂ及びブラックマトリクス１０３上に形成されており、カラーフィルタＣＦの表面の平坦化に寄与する。
【００３０】
　オーバーコート層１０５の材料は、透明かつ絶縁性の膜となるものであれば特に限定されないが、例えば、ポリビニルアルコール、アクリレート系コポリマー等にスチリルピリジウム基やスチルバゾール基等をペンダント化させた樹脂等、公知の酸素遮断性を有する樹脂が好ましい。
【００３１】
　オーバーコート層１０５の厚みは特に限定されないが、例えば、ブラックマトリクス１０３及び透明着色層１０４Ｒ，１０４Ｇ，１０４Ｂの上において１．０〜２．０μｍ（好ましくは１．５μｍ）とすることが好ましい。
【００３２】
　オーバーコート層１０５の製造方法は特に限定されず、公知の塗布、乾燥法等が適用できる。なお、
オーバーコート層１０５が無くても実施は可能である
【００３３】
　スペーサ１０６は、オーバーコート層１０５上に設けられている。
スペーサ１０６は
柱状のもの
【００３４】
　続いて、本発明に係るＴＦＴ型の液晶表示装置ＬＣＤについて図３を参照して説明する。
【００３５】
　この液晶表示装置ＬＣＤは、主として、カラーフィルタＣＦと、ＴＦＴ型の液晶駆動基板ＴＡと、を備える。
【００３６】
　カラーフィルタＣＦは、上記において説明したものであるが、オーバーコート層１０５上にはポリイミド系樹脂等から形成された配向膜１０８が設けられている。
【００３７】
　また、ＴＦＴ型液晶駆動基板ＴＡは、透明基板２００上に画素電極（ＴＦＴアレイ）２０１が設けられ、さらに、画素電極２０１上にポリイミド系樹脂等の配向膜２０２が設けられたものである。
【００３８】
　
ＴＦＴ型液晶駆動基板ＴＡとカラーフィルタＣＦとのギャップはスペーサ１０６によって規定されている
【００３９】
　本発明によれば、カラーフィルタＣＦにおいて、透明電極層１０２が、ブラックマトリクス１０３及び透明着色層１０４Ｒ，１０４Ｇ，１０４Ｂの下、さらには、オーバーコート層１０５の下にある。したがって、カラーフィルタＣＦとＴＦＴ型液晶駆動基板ＴＡとを重ね合わせる際に、カラーフィルタＣＦと液晶駆動基板ＴＡとの間に導電性の異物が混入したとしても、液晶駆動基板ＴＡの画素電極２０１等と、カラーフィルタＣＦの透明電極層１０２との間が短絡することを十分に抑制できる。したがって、コモンショートのトラブルの殆どないＴＦＴ型液晶表示装置を得ることができる。
【００４０】
　なお、本発明は上記実施形態に限定されず様々な変形態様が可能である。例えば、ブラックマトリクス１０３や透明着色層１０４のパターン形状は任意であり、一枚の透明電極層１０２の上に、任意のパターニングがなされたブラックマトリクス１０３及び透明着色層１０４が設けられていればよい。」
　
　エ　カラーフィルタの断面図を示した図２から、柱状スペーサ２０６が、一部のブラックマトリクス１０３の上方にオーバーコート層を介して設けられていることが見て取れる。
　
　オ　上記アないしエから、引用例１には次の発明が記載されているものと認められる。
「ＴＦＴ液晶表示装置用のカラーフィルタにおいて、
　従来は、基板上に、直接もしくは反射板を介してブラックマトリクスおよび透明着色層とが形成され、必要に応じてブラックマトリクス及び透明着色層上に透明なオーバーコート層が形成され、オーバーコート層上に透明電極層が形成され、透明電極層上に柱状スペーサが形成されていたが、液晶の高速駆動による表示性能の向上を図るため、ＴＦＴ型液晶駆動基板とのギャップを可能な限り狭くする工夫が行われていたところ、ギャップが狭くなった場合、ＴＦＴ型液晶駆動基板との間に存在する導電性の異物によりＴＦＴ型液晶駆動基板との間でのコモンショートと呼ばれる短絡現象が起こり易くなり、このような短絡現象がおきると、該異物が存在する部分で正常な表示ができなかったので、コモンショートを十分に抑制できるカラーフィルタを提供することを目的として、
　基板と、この基板上に設けられた透明電極層と、この透明電極層上に設けられたブラックマトリクス及び着色層と、を備えたことにより、ＴＦＴ型液晶駆動基板との間にスペーサを挟んで積層した場合に、その間に導電性の異物があったとしても、ＴＦＴ型液晶駆動基板の画素電極と上記透明電極層との短絡現象を抑制できるようにしたカラーフィルタであって、
　具体的には、透明または不透明な基板１００と、基板１００上に設けられた透明電極層１０２と、透明電極層１０２上に設けられたブラックマトリクス１０３及び透明着色層１０４Ｒ，１０４Ｇ，１０４Ｂと、ブラックマトリクス１０３及び透明着色層１０４Ｒ，１０４Ｇ，１０４Ｂ上に設けられたオーバーコート層１０５と、オーバーコート層１０５上に設けられＴＦＴ型液晶駆動基板ＴＡとのギャップを規定し且つブラックマトリクス１０３の上方に設けられたスペーサ１０６とを備え、ブラックマトリクス１０３は、格子（マトリクス）状、又は、縞（ストライプ）状に形成され、互いに異なる色の透明着色層の端部同士を重ねることにより形成されていてもよく、透明着色層１０４Ｒ，１０４Ｇ，１０４Ｂは、ブラックマトリクス１０３の開口内に配置され、スペーサ１０６は柱状のものとし、オーバーコート層１０５が無くても実施は可能であるカラーフィルタ。」（以下「引用発明」という。）
　
（２）本願の出願前に頒布された刊行物である特開２００４−３５４８４５号公報（以下「引用例２」という。）には、次の事項が図とともに記載されている。
　
　ア　「【０１２０】
本発明の、
一画素中に透過用領域と反射用領域を含み、複数色の画素が配されたカラーフィルターであって
反射用領域７には透明樹脂層３が形成され、反射用領域７の着色層４の膜厚は、透過用領域６の着色層４の膜厚に比べて、薄くなっている
　
　イ　「【０１２８】
【実施例】
以下、実施例に基づいて本発明を具体的に説明するが、本発明はこれらに限定されない。
【０１２９】
実施例１
＜黒色遮光膜用樹脂および遮光膜の作製＞
　
　・・・略・・・
　
【０１３３】
＜着色層以外の樹脂層の作製＞
ブラックマトリクスがパターン加工されたガラス基板上に熱処理後の膜厚が５．０μｍになるようポリアミック酸、溶剤からなる非感光性透明ペーストをスピンナーで塗布した。該塗膜を１２０℃のオーブンで２０分乾燥し、この上にポジ型フォトレジストを塗布し、９０℃で１０分オーブン乾燥した。透過用領域が画素の中央に配置され、
表示領域内の赤、緑、青、各画素の透過用領域以外の領域、およびカラーフィルター基板の表示領域外
に透明樹脂層が残り
透明樹脂層を着色層以外の樹脂層とした
＜着色層の作製＞
次に透過用領域の画素中央での熱処理後の膜厚が１．２μｍになるように、ポリアミック酸、赤顔料、溶剤からなる非感光性赤ペーストをスピンナーで基板上に塗布し、該塗膜を１２０℃のオーブンで２０分乾燥した。該塗膜の上に、反射用領域での熱処理後の膜厚が１．０μｍになるように、アクリルポリマー、アクリル系２官能モノマー、光開始剤、赤顔料、溶剤からなる感光性赤レジストをスピンナーで塗布した。該塗膜を８０℃のオーブンで１０分熱処理し、紫外線露光機を用い、同色画素の透過用領域間の遮光層上に５μｍのスリットが形成されるフォトマスクを介して、１００ｍＪ／ｃｍ２（３６５ｎｍの紫外線強度）で露光した。露光後にテトラメチルアンモニウムハイドロオキサイドの１．０％の水溶液からなる現像液に浸漬し、非感光性赤ペーストならびに感光性赤レジストが積層された着色層を現像時間を変えて、現像した。
【０１３４】
赤画素と同様にして、緑画素、青画素についても、非感光性ペーストならびに感光性レジストからなる積層着色層を現像時間を変えて、フォトリソ加工し、図５、１０の用にした。図５は図６のＡＢ間の模式断面図である。
この後アクリル系の透明保護膜を塗布、加熱硬化させ更に、１４００オングストロームの膜厚でＩＴＯ膜を製膜しカラーフィルターを作製した。このカラーフィルターの各画素の透過領域及び反射領域のＹ値を大塚電子株式会社製ＭＣＰＤ−２０００を用い、対物レンズ２０倍で測定した。Ｃ光源での赤の透過領域のＹ値は２２、同反射領域のＹ値は４７、緑の透過領域のＹ値は５６、同反射領域のＹ値は９３、青の透過領域のＹ値は１０、同反射領域のＹ値は４９であった。
【０１３５】
＜液晶表示装置の作製＞
カラーフィルター基板上の表示領域内外に
柱状スペーサーを形成した
表示領域外は、着色層以外の樹脂層が形成されている上に柱状スペーサが積層するように形成した
　
　ウ　カラーフィルター表示領域内の模式断面図である図２及び図２に示された符号を参照して、カラーフィルター表示領域内から表示領域外の模式断面図である図５及び図７をみると、図５より、透過用領域６と反射用領域７を含む画素が２つ存在し、この２つの画素間の着色層以外の樹脂層、すなわち透明樹脂層は複数の着色層に隣接し且つブラックマトリクスの上に形成されていることが見て取れる。また、図７からも同様な事項が見て取れる。
　
　エ　上記アないしウから、引用例２には次の事項が記載されているものと認められる。
　
　「一画素中に透過用領域と反射用領域を含み、複数色の画素が配されたカラーフィルターであって、反射用領域には透明樹脂層が形成され、反射用領域の着色層の膜厚は、透過用領域の着色層の膜厚に比べて、薄くなっており、表示領域内の赤、緑、青、各画素の透過用領域以外の領域、および、カラーフィルター基板の表示領域外に透明樹脂層を形成し、表示領域内の透明樹脂層は複数の着色層に隣接し且つブラックマトリクスの上に形成され、カラーフィルター基板上の表示領域内外に柱状スペーサーを形成し、表示領域外には着色層以外の樹脂層である透明樹脂層が形成されている上に柱状スペーサが積層されるように形成したカラーフィルター。」（以下「引用例２の記載事項」という。）
　
（３）本願の出願前に頒布された刊行物である特開２００７−６５１１８号公報（以下「引用例３」という。）には、次の事項が図とともに記載されている。
　
　ア　「【０００６】
　上記のような
透明樹脂層などの土台層を有する
カラーフィルター
表示領域外の遮光部分一面にわたり土台層を形成している
　
　イ　「【０００９】
　本発明の半透過型液晶表示装置は、以下の構成を有するものである。
すなわち、
（１）
基板上の表示領域内には複数の開口部を有する遮光層、および表示領域外には表示領域を囲む遮光層が形成され、表示領域内には該開口部に着色層が形成された透過用領域および反射用領域を有する画素が複数色配されており、そのうちの少なくとも一色の画素については基板と着色層の間に土台層が形成されているカラーフィルターであって
（２）表示領域外の遮光層における土台層が形成されていない領域が、表示領域境界部から表示領域外側１５０μmの範囲内であることを特徴とする（１）に記載の液晶表示装置用カラーフィルター。
（３）遮光層上に固定スペーサー形成部または固定スペーサー付き当て部を有し、少なくとも表示領域外の遮光層部分の固定スペーサー形成部または固定スペーサー付き当て部には、土台層または着色層の少なくとも１層が形成されていることを特徴とする（１）または（２）に記載の液晶表示装置用カラーフィルター。
（４）表示領域外の遮光層上にシール部分が形成され、少なくともシール部分の遮光層上には土台層または着色層の少なくとも１層が形成されていることを特徴とする（１）〜（３）に記載の液晶表示装置用カラーフィルター。
（５）複数色の画素のうち、最後に形成する着色層を表示領域外の遮光層上に形成することを特徴とする請求項１に記載の液晶表示装置用カラーフィルター。
（６）土台層が、少なくとも透過用領域と反射用領域の境界部分に形成されていることを特徴とする（１）〜（５）に記載の液晶表示装置用カラーフィルター。
（７）土台層が形成された領域が、反射用領域であることを特徴とする（１）〜（６）に記載の液晶表示装置用カラーフィルター。
（８）オーバーコート層を形成していることを特徴とする（１）〜（７）のいずれかに記載の液晶表示装置用カラーフィルター。
（９）（１）〜（８）のいずれかに記載の液晶表示装置用カラーフィルターを用いたことを特徴とする液晶表示装置。」
　
　ウ　「【発明を実施するための最良の形態】
【００１１】
　以下、本発明の実施の形態について説明する。
【００１２】
　外光を利用するための反射膜が形成される基板は、カラーフィルター側基板、カラーフィルターに対向する基板のいずれでもよい。カラーフィルター側に反射膜が形成されている場合は、
色材料が形成されている画素領域の内、反射膜が形成されている領域が反射用領域となり、画素領域の中で反射膜が形成されていない領域が透過用領域となる
【００１３】
　本発明においては、反射用領域と透過用領域の配置について特に限定はないが、透過用領域が反射用領域に囲まれる配置（図１〜３の配置）、もしくは画素の短辺方向を上下とした場合に上下で反射用領域、透過用領域と分割される配置（図５の配置）が好ましい。
【００１４】
　
表示領域外の遮光層は
ブラックマトリックス
【００１５】
　本発明は、画素内に基板と着色層の間に土台層が形成され、土台層上に１層以上の着色層が塗布されたカラーフィルターにおいて、その効果が発揮される。ここでいう土台層とは、透明樹脂層、遮光層、反射膜、光拡散膜などを指し、好ましく用いられるが、基板と着色層の間に凸形状の層を形成することができればこれらに限定されるものではない。また、土台層は積層されていてもよい。例えば、透明樹脂層上に光拡散膜を積層したり、反射膜上に透明樹脂層を積層したものも好ましく用いることができる。着色層とは、液晶表示装置の発色のために用いられる層を指し、例えば透明樹脂層、遮光層などは含まないものとする。
【００１６】
　土台層が遮光層である場合は、透過用領域と反射用領域の境界部のみに形成されている方が、画素の有効表示面積（開口率）の減少が抑えられ好ましい。また、開口率の低下をさらに少なくするため、その線幅は１０μｍ以下が好ましく、７μｍ以下がより好ましい。また、パターン加工性の観点からは、遮光層の膜厚は、７μｍ以下が好ましく、５μｍ以下がより好ましく、３μｍ以下がさらに好ましい。
【００１７】
　一方、土台層が透明樹脂層、反射膜、光拡散膜である場合は、透過用領域と反射用領域の境界部のみに形成されていてもよく、反射用領域全体にわたって形成されていてもよい。」
　
　エ　「【００５０】
　以下、実施例に基づいて本発明を具体的に説明するが、本発明はこれらに限定されない
　実施例１
　
　・・・略・・・
　
（カラーフィルターの作成）
　樹脂ブラックマトリクスが膜厚２．０μｍでパターン加工されたガラス基板上に熱処理後の膜厚が４．０μｍになるように非感光性ペースト（ＴＰＩ−１）をスピンナーで塗布した。
【００５６】
　該塗膜を、１２０℃のオーブンで２０分乾燥し、この上に
ポジ型フォトレジスト
を塗布し
フォトマスクパターンを介して赤、緑、青の各画素の反射用領域に透明樹脂層が残るように
露光した
このとき用いたフォトマスクは、表示領域外の樹脂ブラックマトリクス上には、透明樹脂層が形成されないパターンであった
赤、緑、青画素の反射用領域に透明樹脂層を得た
　
　・・・略・・・
　
【００５９】
　実施例３
　
透明樹脂層の形成において、表示領域外の遮光層上の固定スペーサー形成部
にのみ透明樹脂層が形成されるフォトマスクを用いたことを除き、実施例１と同様にカラーフィルターを作製した
　
　オ　図５は、カラーフィルターの全体図を示す図４の角部Ａの拡大図であり、複数の反射用領域６及びブラックマトリクスを交互に横切るａ線が示されている。そして図６には表示領域境界部の遮光層に土台層を形成した場合の図５のａ線での断面図が、図９には前記遮光層に土台層を形成しない場合の図５のａ線での断面図がそれぞれ示されており、図６，９共に、透明樹脂層３が横に連続して形成され、当該透明樹脂層３の上であって、前記複数の反射領域６にそれぞれ着色層１３が形成されていること、即ち、反射用領域６に形成される透明樹脂層３が複数の着色層１３に隣接し且つブラックマトリクス２の上に形成されていることが見て取れる。
　
　カ　上記アないしオから、引用例３には次の事項が記載されているものと認められる。
　
　「基板上の表示領域内には複数の開口部を有する遮光層、および表示領域外には表示領域を囲む遮光層が形成され、表示領域内には該開口部に着色層が形成された透過用領域および反射用領域を有する画素が複数色配されており、そのうちの少なくとも一色の画素については基板と着色層の間に土台層が形成されているカラーフィルターであって、ポジ型フォトレジストを塗布し、フォトマスクパターンを介して赤、緑、青の各画素の反射用領域に透明樹脂層が残るように露光して透明樹脂層を得て、このとき用いたフォトマスクは、表示領域外の樹脂ブラックマトリクス上には固定スペーサー形成部を除き前記透明樹脂層が形成されないパターンであり、前記透明樹脂層は、複数の着色層に隣接し且つブラックマトリクスの上に形成されているカラーフィルター」（以下「引用例３の記載事項」という。）
　
６　引用発明との対比・判断
（１）対比
　ア　引用発明の「基板」、「透明電極層」、「ブラックマトリクス」、「透明着色層」、「ギャップ」、「スペーサ」及び「カラーフィルタ」は、それぞれ、本願補正発明の「基板」、「透明電極層」、「ブラックマトリクス」、「着色層」、「ギャップ」、「スペーサー」及び「カラーフィルタ」に相当する。
　
　イ　引用発明の「カラーフィルタ」は、「基板（基板）」と、「基板」上に設けられた「透明電極層（透明電極層）」と、「透明電極層」上に設けられた「ブラックマトリクス（ブラックマトリクス）」及び「着色層（透明着色層）」と、「ブラックマトリクス」及び「着色層」上に設けられたオーバーコート層と、オーバーコート層上に設けられＴＦＴ型液晶駆動基板との「ギャップ（ギャップ）」を規定する「スペーサー（スペーサ）」とを備えているから、本願補正発明の「カラーフィルタ」と「基板と、前記基板上に形成された、透明電極層と、前記透明電極層上に形成された、ブラックマトリクスと、着色層と、ギャップを一定に保つスペーサーとを有する」点で一致する。
　
　ウ　上記ア及びイからみて、本願補正発明と引用発明とは、
「基板と、前記基板上に形成された、透明電極層と、前記透明電極層上に形成された、ブラックマトリクスと、着色層と、ギャップを一定に保つスペーサーとを有するカラーフィルタ」である点で一致し、次の点で相違する。
　
　相違点１：
　「スペーサー」が、
　本願補正発明では、「ブラックマトリクス上に」あるのに対し、
　引用発明では、オーバーコート層上のブラックマトリクスの上方の位置に設けられており、オーバーコート層が無い場合に、どこに設けるかが特定されていない点。
　
　相違点２：
　「透明電極層上の平面においてブラックマトリクスと着色層の間」に、
　本願補正発明では、「透明層」が配置され、該透明層は、「上部に前記着色層が積層」され、「複数の前記着色層に隣接し」、且つ、「スペーサー」に含まれるのに対し、
　引用発明では、前記透明層が配置されていない点。
　
　（２）判断
　上記相違点１及び２について検討する。
　ア　相違点１について
　（ア）ブラックマトリクス上の着色層のない位置にオーバーコート層を介さずに直接スペーサーを備えたカラーフィルタは本願の出願前に周知である（以下「周知技術１」という。例．原査定の拒絶の理由に引用された特開平７−３１８９５０号公報（【００２５】、図３参照。）、特開２００１−２４２４６７号公報（【００２１】ないし【００２５】、図２参照。）、特開平２−２９８９１６号公報（特許請求の範囲、２頁左下欄１６行ないし右下欄１０行、第４，５図参照。）、特開平１０−２２１６９６号公報（【００１５】ないし【００１８】、図１，２参照。））。
　
　（イ）引用発明の「スペーサー」は、オーバーコート層が無い場合にどこに設けられるかが特定されていないが、オーバーコート層がある場合にはブラックマトリクスの上方で且つオーバーコート層上に設けられており、加えて、オーバーコート層が無い場合にブラックマトリクス上の着色層のない位置に直接スペーサを設けることが上記（ア）のように周知の技術であるから、引用発明において、オーバーコート層が無い場合に、スペーサーをブラックマトリクス上となすこと、すなわち、上記相違点１に係る本願補正発明の構成となすことは、当業者が周知技術１に基づいて適宜なし得た程度のことである。
　
　イ　相違点２について
　（ア）暗い環境下でも視認性を良くするために、一画素内で、着色層からなる透過用領域と、着色層と透明層の積層構造からなり前記画素の領域の端縁に沿って配置される反射用領域とを含むカラーフィルタは本願の出願前に周知である（以下「周知技術２」という。例．原査定の拒絶の理由に引用された特開２００３−５７４３３号公報（【請求項１】、図１参照。）、上記５（２）アないしエ、上記５（３）アないしカ）。
　
　（イ）引用発明は、格子（マトリクス）状、又は、縞（ストライプ）状に形成されたブラックマトリクスの開口内に着色層が配置され、該着色層により一画素を構成しているものであるが、透過型或いは反射型の一方に限定されるものでもないことが明らかであるから、上記（ア）からみて、引用発明において、一画素内のその端縁に沿った箇所に透明層を設けることは当業者であれば周知技術２に基づいて適宜なし得たことである。
　そして、このように一画素内の端縁に沿った箇所に透明層を設けた際に、透明電極層上の平面におけるブラックマトリクスと着色層の間に、上部に前記着色層が積層された透明層が配置されることは自明である。
　
　（ウ）周知技術２としても例示した上記５（２）の引用例２の記載事項及び上記５（３）の引用例３の記載事項は、カラーフィルタにおいて、透過用領域と反射用領域を含む画素が複数配され、反射用領域及びカラーフィルター基板の表示領域外に透明樹脂層を形成し、該透明樹脂層が複数の着色層に隣接し且つブラックマトリクスの上に形成されているものであり、上記（イ）のようになした透明層を複数の着色層に隣接し且つブラックマトリクスの上に形成するようになすことは、当業者であれば引用例２の記載事項及び引用例３の記載事項に基づいて適宜なし得たことである。
　
　（エ）引用発明は、オーバーコート層がある場合にはスペーサーがブラックマトリクスの上方で且つオーバーコート層上に設けられているのであるから、上記（ウ）のように、透明層を複数の着色層に隣接し且つブラックマトリクスの上に形成した際に、前記スペーサーが透明層の上に位置するものであるといえる。
　そして、透明樹脂層の上にスペーサが設けられる場合、透明樹脂層がスペーサに含まれるものかどうかは透明樹脂層を含めた範囲をスペーサと定義するか否かにすぎないものということができるから、スペーサが透明樹脂層を含むことは自明である。
　
　（オ）引用発明において、上記（イ）のように、透明電極層上の平面におけるブラックマトリクスと着色層の間に、上部に前記着色層が積層された透明層を配置する際に、それと同時に前記透明層を複数の前記着色層に隣接させ、前記スペーサーが前記透明層を含むようになすことは、上記（エ）からみて、当業者が引用例２の記載事項及び引用例３の記載事項に基づいて容易になし得たことである。
　よって、（ア）ないし（エ）からみて、引用発明において、上記相違点２に係る本願補正発明の構成とした点は、当業者が周知技術２、引用例２の記載事項及び引用例３の記載事項に基づいて容易になし得たことである。
　
　ウ　効果について
　本願補正発明の奏する効果は、引用発明の奏する効果、引用例２の記載事項の奏する効果、引用例３の記載事項の奏する効果、周知技術１の奏する効果及び周知技術２の奏する効果から予測することができた程度のものである。
　
　エ　まとめ
　したがって、本願補正発明は、当業者が引用例１に記載された発明、引用例２の記載事項、引用例３の記載事項、周知技術１及び周知技術２に基づいて容易に発明をすることができたものである。
　本願補正発明は、当業者が引用例１ないし３に記載された発明、周知技術１及び周知技術２に基づいて容易に発明をすることができたものであるから、特許法第２９条第２項の規定により特許出願の際独立して特許を受けることができないものである。
　
７　小括
　本件補正は、上記３のとおり、特許法第１７条の２第３項の規定に違反するものであるから、同法第１５９条第１項において読み替えて準用する同法第５３条第１項の規定により却下すべきものである。
　また、仮に本件補正が特許法第１７条の２第３項の規定に違反しないものだとしても、本願補正発明は、上記６のとおり、特許出願の際独立して特許を受けることができないものであるから、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
１　本願発明
　本件補正は上記「第２」のとおり却下されたので、本願の請求項１ないし８に係る発明は、平成２４年７月２７日付けで補正された特許請求の範囲の請求項１ないし８に記載された事項によって特定されるものであるところ、請求項１に係る発明（以下「本願発明」という。）は、平成２４年７月２７日付けで補正された明細書、特許請求の範囲及び図面の記載からみて、上記「第２〔理由〕１（２）」に本件補正前の請求項１として記載したとおりのものである。
　
２　引用例
　引用例１及びその記載事項は、上記「第２〔理由〕５」に記載したとおりである。
　
３　対比
　本願補正発明に係る本件補正は、上記「第２〔理由〕１（２）」のとおり、本願発明を特定するために必要な事項である「スペーサー」を「ブラックマトリクス上」とするとともに「透明層を含む」ものと限定し、「透明層」を「複数の着色層に隣接」するものと限定したものであるから、本願発明は、上記相違点１に係る本願補正発明の構成、及び、上記相違点２に係る本願補正発明の構成のうち「透明層」から「複数の着色層に隣接し、前記スペーサーに含まれる」との限定事項を削除したものに相当する。
　そうすると、本願発明と引用発明とは、上記一致点（上記「第２〔理由〕６（１）ウ」参照。）で一致し、次の点で相違する。
　
　相違点３：
　「透明電極層上の平面においてブラックマトリクスと着色層の間」に、
　本願補正発明では、「透明層」が配置され、該透明層は、「上部に前記着色層が積層」されているのに対し、
　引用発明では、前記透明層が配置されていない点。
　
４　判断
　上記相違点３について検討する。
（１）引用発明において、相違点３に係る本願発明の構成となすことは、上記第２〔理由〕６（２）イ（イ）と同様の理由で当業者が周知技術２に基づいて適宜なし得たことである。
　
（２）本願発明の奏する効果は、引用発明及び周知技術２の奏する効果から予測することができた程度のものである。
　
（３）したがって、本願発明は、当業者が引用例１に記載された発明及び周知技術２に基づいて容易に発明をすることができたものである。
　
５　むすび
　本願発明は、以上のとおり、当業者が引用例１に記載された発明及び周知技術２に基づいて容易に発明をすることができたものであるから、特許法第２９条第２項の規定により特許を受けることができない。
　よって、結論のとおり審決する。